(57)【要約】      （修正有）【課題】ケースを擦った時の音の集音を防止し、且つ、電気的接続ケーブルを伝わる振動による振動雑音の集音を防止することができるマイク装置を提供する。【解決手段】筐体の上部を形成する略半楕円面のアッパーケース１０Ｕと、略楕円形平板の外形で前記筐体の中部を形成するミドルケース１０Ｍと、前記筐体の下部を形成する略半楕円面のボトムケース１０Ｂと、集音した前記音声を電気信号に変換する音声変換手段１１と、音声変換手段１１を保持する保持手段１２とを有し、アッパーケース１０Ｕとミドルケース１０Ｍとボトムケース１０Ｂとを積層に組み立てて、略楕円面の前記筐体を形成し、音声変換手段１１は、集音した前記音声を前記電気信号に変換するマイクエレメント部と、前記マイクエレメント部を載置されて電気的に接続されるフレキシブル基板部と、を備え、保持手段１２は、音声変換手段１１を挟持して保持する２つの緩衝材部１２ａを備える。【選択図】図２
0003209742.tif 000002
【実用新案登録請求の範囲】
【請求項１】
音声または音を集音するマイク装置であって、
筐体の上部を形成する略半楕円面のアッパーケースと、
略楕円形平板の外形で前記筐体の中部を形成するミドルケースと、  
前記筐体の下部を形成する略半楕円面のボトムケースと、
集音した前記音声を電気信号に変換する音声変換手段と、
前記音声変換手段を保持する保持手段と
を有し、
前記アッパーケースと前記ミドルケースと前記ボトムケースとを積層に組み立てて、略楕円面の前記筐体を形成し、
前記音声変換手段は、集音した前記音声を前記電気信号に変換するマイクエレメント部と、前記マイクエレメント部を載置されて電気的に接続されるフレキシブル基板部と、を備え、
前記保持手段は、前記音声変換手段を挟持して保持する２つの緩衝材部を備え、
前記アッパーケースと前記ミドルケースと前記ボトムケースとを積層に組み立てるときに、該アッパーケースと該ミドルケースとの間隙に、前記保持手段の２つの前記緩衝材部で挟持された前記音声変換手段を配置する、
ことを特徴とするマイク装置。
【請求項２】
２つの前記緩衝材部は、スポンジ状の合成樹脂材である、ことを特徴とする請求項１に記載のマイク装置。
【請求項３】
前記筐体の上部外面を形成する前記アッパーケースの略半楕円面は鏡面加工した表面であり、
前記筐体の中部外面を形成する前記ミドルケースの略楕円形平板の側面は鏡面加工した表面であり、
前記筐体の下部外面を形成する前記ボトムケースの前記略半楕円面は鏡面加工した表面である、
ことを特徴とする請求項１または請求項２に記載のマイク装置。
【請求項４】
前記フレキシブル基板部は、フィルム形状の絶縁材にプリント配線した基板であり、前記マイクエレメント部を載置されるエレメント配置部と、前記音声を変換した前記電気信号を外部に出力するパッド部と、前記エレメント配置部と前記パッド部とを電気的に接続するブリッジ接続部と、を備え、
前記ブリッジ接続部は、前記アッパーケースと前記ミドルケースと前記ボトムケースとを積層に組み立てるときに、略Ｕ字または略Ｓ字に撓む、
ことを特徴とする請求項１乃至請求項３のいずれか一項に記載のマイク装置。
【請求項５】
前記ボトムケースは、外部機器からの信号を入出力するためのケーブルを挿入して保持するケーブル貫通溝を備える、
ことを特徴とする請求項１乃至請求項４のいずれか一項に記載のマイク装置。
【考案の詳細な説明】
【技術分野】
【０００１】
本考案は、小型化、高性能化を実現したマイク装置に関する。また、本考案は、集音器や補聴器、ハンズフリー通話器等に使用されるマイク装置に関するものであってもよい。
【背景技術】
【０００２】
マイクロホンは、音響機器本体への電気的接続用リード線が接続され、背面を支持体に固定したうえ、前面には緩衝材を挟みマイクロホンケースや筐体に取り付けられるのが一般的である。また、マイクエレメントをフレキシブル基板に搭載し、このフレキシブル基板を増幅回路が搭載されているプリント基板に固定する実装方法が知られている。特許文献１では、マイクロホンと、該マイクロホンが緩衝材を介して嵌合される収納部を有する蓋体と、該マイクロホンの底面に半田付されたフレキシブル基板と、該フレキシブル基板に接続されたプリント基板とを備え、前記フレキシブル基板により前記マイクロホンに伝わる振動を吸収することを特徴とするマイクロホン取付装置に関する技術を開示している。特許文献２では、一端側にマイクユニット収納部が形成され、他端側に同マイクユニットの出力ケーブルを引き出す挿通孔を有するマイクロホン用筐体において、同筐体が軟質合成樹脂材もしくは軟質ゴム材などの軟質弾性体により一つの部材として一体成形されていることを特徴とするマイクロホン用筐体に関する技術を開示している。
【先行技術文献】
【特許文献】
【０００３】
【特許文献１】公開実用新案公報  昭６２−８０４９１号公報
【特許文献２】登録実用新案公報  第３０１６４４９号公報
【考案の概要】
【考案が解決しようとする課題】
【０００４】
マイクロホンは高感度のため、振動吸収のための軟質ゴムなどの弾性体を用いても、マイクケースへの衝撃に起因する衝撃音やこすった時の雑音を集音する場合があった。また、マイクエレメント（音声変換手段）と電気的に接続するケーブルや筐体（ケース）を擦ると雑音が発生し、良好な音質の確保ができない場合があった。特許文献１に開示されている技術では、ケースを擦った時の音を集音する場合がある。特許文献２に開示されている技術では、電気的接続ケーブルを伝わる振動による振動雑音を集音する場合がある。更に、近年、更なる小型化、高性能化を目的に、雑音などの集音を防止することができるマイク装置が求められている。
【０００５】
本考案は、ケースを擦った時の音の集音を防止し、且つ、電気的接続ケーブルを伝わる振動による振動雑音の集音を防止することができるマイク装置を提供することを目的とする。
【課題を解決するための手段】
【０００６】
上記課題を解決するために、本考案の一つの実施形態は、音声または音を集音するマイク装置であって、筐体の上部を形成する略半楕円面のアッパーケースと、略楕円形平板の外形で前記筐体の中部を形成するミドルケースと、前記筐体の下部を形成する略半楕円面のボトムケースと、集音した前記音声を電気信号に変換する音声変換手段と、前記音声変換手段を保持する保持手段とを有し、前記アッパーケースと前記ミドルケースと前記ボトムケースとを積層に組み立てて、略楕円面の前記筐体を形成し、前記音声変換手段は、集音した前記音声を前記電気信号に変換するマイクエレメント部と、前記マイクエレメント部を載置されて電気的に接続されるフレキシブル基板部と、を備え、前記保持手段は、前記音声変換手段を挟持して保持する２つの緩衝材部を備え、前記アッパーケースと前記ミドルケースと前記ボトムケースとを積層に組み立てるときに、該アッパーケースと該ミドルケースとの間隙に、前記保持手段の２つの前記緩衝材部で挟持された前記音声変換手段を配置する、ことを特徴とするマイク装置を提供する。また、本考案の他の実施形態は、上記のマイク装置であって、２つの前記緩衝材部は、スポンジ状の合成樹脂材である、ことを特徴とするマイク装置であってもよい。また、本考案の他の実施形態は、上記のいずれか１つのマイク装置であって、前記筐体の上部外面を形成する前記アッパーケースの略半楕円面は鏡面加工した表面であり、前記筐体の中部外面を形成する前記ミドルケースの略楕円形平板の側面は鏡面加工した表面であり、前記筐体の下部外面を形成する前記ボトムケースの前記略半楕円面は鏡面加工した表面である、ことを特徴とするマイク装置であってもよい。
【０００７】
本考案の他の実施形態は、上記のいずれか１つのマイク装置であって、前記フレキシブル基板部は、フィルム形状の絶縁材にプリント配線した基板であり、前記マイクエレメント部を載置されるエレメント配置部と、前記音声を変換した前記電気信号を外部に出力するパッド部と、前記エレメント配置部と前記パッド部とを電気的に接続するブリッジ接続部と、を備え、前記ブリッジ接続部は、前記アッパーケースと前記ミドルケースと前記ボトムケースとを積層に組み立てるときに、略Ｕ字または略Ｓ字に撓む、ことを特徴とするマイク装置であってもよい。
【０００８】
本考案の他の実施形態は、上記のいずれか１つのマイク装置であって、前記ボトムケースは、外部機器からの信号を入出力するためのケーブルを挿入して保持するケーブル貫通溝を備える、ことを特徴とするマイク装置であってもよい。
【考案の効果】
【０００９】
本考案に係るマイク装置によれば、筐体（ケース）を擦った時の音の集音を防止し、且つ、電気的接続ケーブルを伝わる振動による振動雑音の集音を防止することができる。
【図面の簡単な説明】
【００１０】
【図１】本考案の実施形態に係るマイク装置の一例を説明する概略外観図である。
【図２】本考案の実施形態に係るマイク装置の組み立ての一例を説明する概略分解図である。
【図３】本考案の実施形態に係るマイク装置の音声変換手段の一例を説明する説明図である。
【図４】本考案の実施形態に係るマイク装置の音声変換手段のフレキシブル基板部の一例を説明する説明図である。
【図５】本考案の実施形態に係るマイク装置の構造の例を説明する説明図である。
【考案を実施するための形態】
【００１１】
実施形態に係るマイク装置の例を用いて、本考案を説明する。なお、本考案は、以後に説明するマイク装置以外でも、マイク、集音器、録音機などで携帯できるもの（部品、装置、機器、器具など）であれば、いずれのものにも用いることができる。なお、マイク装置の素材、色は、特に限定されない。マイク装置の色は、透明、半透明、色付きのものであってもよい。マイク装置の色は、例えば使用者（消費者）の趣味趣向に合わせた柄のもの（例えば透明、絵柄、広告宣伝表記など）であってもよい。
【００１２】
以後に、本考案を説明する。
【００１３】
図１乃至図５を用いて、本考案の実施形態に係るマイク装置の構成を説明する。ここで、図１は、本考案の実施形態に係るマイク装置１００の一例を説明する概略外観図である。図２は、本考案の実施形態に係るマイク装置１００の組み立ての一例を説明する概略分解図である。図３は、本考案の実施形態に係るマイク装置１００の音声変換手段１１の一例を説明する説明図である。図４は、本考案の実施形態に係るマイク装置１００の音声変換手段１１のフレキシブル基板部１１ｆの一例を説明する説明図である。図５（ａ）は、本考案の実施形態に係るマイク装置１００の構造の例を説明する概略平面図である。図５（ｂ）は、本考案の実施形態に係るマイク装置１００の構造の例を説明する概略正面断面図（図５（ａ）のＡＡ断面図）である。なお、図１等に示すマイク装置の構成等は一例であり、本考案は図１等に示すマイク装置等に限定されるものではない。
【００１４】
図１乃至図５を用いて、本考案の実施形態に係るマイク装置１００を説明する。なお、図１等に示すマイク装置は一例であり、本考案は図１等に示すマイク装置等に限定されるものではない。下記にて、各構成を具体的に説明する。
【００１５】
図１および図２に示すように、本考案に係るマイク装置１００は、音声またはその他音（以下、「音」という。）を集音する装置である。マイク装置１００は、本考案では、筐体またはケース（以下、「筐体」という。）の上部を形成する略半楕円面のアッパーケース１０Ｕと、略楕円形平板の外形で筐体の中部を形成するミドルケース１０Ｍと、筐体の下部を形成する略半楕円面のボトムケース１０Ｂと、集音した音（音声など）を電気信号に変換する音声変換手段１１と、音声変換手段１１を保持する保持手段１２とを有する。また、図２に示すように、本考案に係るマイク装置１００は、本実施形態では、装置外部から塵や埃などの侵入を防止する防塵手段１３を更に有する。なお、マイク装置１００の筐体（アッパーケース１０Ｕ、ミドルケース１０Ｍおよびボトムケース１０Ｂ）は、アクリル、シリコン、塩化ビニル、合成樹脂又はエンジニアリングプラスチックを用いることができる。また、本考案に係るマイク装置１００の筐体（アッパーケース１０Ｕ、ミドルケース１０Ｍおよびボトムケース１０Ｂ）の大きさは、特に限定されない。本考案に係るマイク装置１００の筐体（アッパーケース１０Ｕ、ミドルケース１０Ｍおよびボトムケース１０Ｂ）の大きさは、設計、実験、計算などで予め定められる大きさとすることができる。
【００１６】
図１、図５（ａ）および図５（ｂ）に示すように、本考案に係るマイク装置１００は、アッパーケース１０Ｕの音声集音孔２１から音を収集する。また、本考案に係るマイク装置１００は、収集した音を電気信号に変換し、変換した電気信号を音声変換装置１１に接続されたケーブルを介してイヤホン取り付け部２２から出力する。なお、本考案に係るマイク装置１００は、本実施形態では、音響機器本体あるいは付属装置等の外部機器からの電気信号を伝達（入出力）するためのケーブルを挿入（保持）するケーブル貫通溝２３をボトムケース１００Ｂに備える。
【００１７】
図２に、本実施形態に係るマイク装置１００の組み立ての一例を説明する分解図を示す。図２に示すように、アッパーケース１０Ｕとミドルケース１０Ｍとボトムケース１０Ｂとを積層に組み立てて、略楕円面の筐体を形成する。保持手段１２は、音声変換手段１１を挟持して保持する２つの緩衝材部１２ａと、音声集音孔２１から収集した音を伝達する音声伝達開口部１２ｂとを備える。マイク装置１００は、アッパーケース１０Ｕとミドルケース１０Ｍとボトムケース１０Ｂとを積層に組み立てるときに、アッパーケース１０Ｕとミドルケース１０Ｍとの間隙に、保持手段１２の２つの緩衝材部１２ａで挟持された音声変換手段１１を配置（固定、保持）する。２つの緩衝材部１２ａは、本実施形態では、スポンジ状の合成樹脂材（たとえば硬度２５度程度）を用いることができる。なお、アッパーケース１０Ｕとミドルケース１０Ｍ、および、ミドルケース１０Ｍとボトムケース１０Ｂの接続方法は公知の技術を用いることができる。また、アッパーケース１０Ｕとミドルケース１０Ｍ、および、ミドルケース１０Ｍとボトムケース１０Ｂの接続面を密着させることにより、ケース隙間から入る周囲音を遮断することができ、マイク音声通過孔からの音声に干渉することを軽減し、より鮮明な音（音声など）を集音することができる。
【００１８】
アッパーケース１０Ｕの略半楕円面は、本実施形態では、鏡面加工した表面であり、筐体の上部外面を形成する。ミドルケース１０Ｍの略楕円形平板の側面は、本実施形態では、鏡面加工した表面であり、筐体の中部外面を形成する。ボトムケース１０Ｂの略半楕円面は、本実施形態では、鏡面加工した表面であり、筐体の下部外面を形成する。これにより、本考案に係るマイク装置１００は、筐体（ケース）を擦った時の音の発生を低減し、筐体を擦った時の音の集音を防止することができる。
【００１９】
図３に、本実施形態に係る音声変換手段１１を示す。図３に示すように、音声変換手段１１は、集音した音（音声）を電気信号に変換するマイクエレメント部１１ｍと、マイクエレメント部１１ｍを載置（実装）されて電気的に接続されるフレキシブル基板部１１ｆと、を備える。マイクエレメント部１１ｍは、音（音声）を電気信号に変換するものである。なお、音（音声）を電気信号に変換する方法は公知の技術を用いることができる。図３および図４に示すように、フレキシブル基板部１１ｆは、本実施形態では、フィルム形状の絶縁材にプリント配線した基板である。フレキシブル基板部１１ｆは、図４に示すように、マイクエレメント部１１ｍを載置されるエレメント配置部１１ｆａと、音（音声）を変換した電気信号を外部に出力するパッド部１１ｆｂと、エレメント配置部１１ｆａとパッド部１１ｆｂとを電気的に接続するブリッジ接続部１１ｆｃと、を備える。
【００２０】
図３および図５（ｂ）に示すように、ブリッジ接続部１１ｆｃは、アッパーケース１０Ｕとミドルケース１０Ｍとボトムケース１０Ｂとを積層に組み立てるときに、略Ｕ字または略Ｓ字に撓むことができる。これにより、本考案に係るマイク装置１００は、ブリッジ接続部１１ｆｃが振動により撓むことを利用して、装置外部からの電気的接続ケーブルを伝わる振動をブリッジ接続部１１ｆｃの撓みで吸収し、振動による振動雑音の集音を防止することができる。なお、ブリッジ接続部１１ｆｃの幅は、柔軟性を高めるため、配線に必要な配線幅のみを残し、更に小さくしてもよい。
【００２１】
以上のとおり、本考案に係るマイク装置によれば、筐体（アッパーケース、ミドルケースおよびボトムケース）の表面を曲面にすることで筐体（ケース）を擦った時の音の集音を防止し、且つ、装置外部からの電気的接続ケーブルを伝わる振動をフレキシブル基板部（ブリッジ接続部）の撓みで吸収することで振動による振動雑音の集音を防止することができる。また、本考案に係るマイク装置によれば、筐体（アッパーケース、ミドルケースおよびボトムケース）の表面を曲面および／または鏡面加工にすることで、デザイン性の高いマイク装置を提供することができる。更に、本考案に係るマイク装置によれば、コンパクトで持ち運びすることができ、容易に利用することができる。また、本考案に係るマイク装置によれば、構造がシンプルで、安価で製造することができ、安価で販売することができる。
【００２２】
また、本考案に係るマイク装置によれば、筐体（ケース）を擦った時の音の集音を防止し、且つ、振動による振動雑音の集音を防止することができるので、音響機器などで使用する場合に、小型のマイクケースに取り付けて、音響機器本体とケーブルで接続して用いることができ、使用環境により大小の振動による振動雑音の影響でも、良好な音質で集音することができる。また、本考案に係るマイク装置によれば、筐体（ケース）を擦った時の音の集音を防止し、且つ、振動による振動雑音の集音を防止することができるので、補聴器に使用した場合に衝撃による雑音から耳を護ることができる。
【００２３】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２４】
１００  ：  マイク装置
１０Ｕ：  アッパーケース
１０Ｍ：  ミドルケース
１０Ｂ：  ボトムケース
１１  ：  音声変換手段（マイクエレメントなど）
１１ｍ：  マイクエレメント部
１１ｆ：  フレキシブル基板部
１１ｆａ：エレメント配置部
１１ｆｂ：ブリッジ接続部
１１ｆｃ：パッド部
１２  ：  保持手段
１２ａ：  緩衝材部（発泡性樹脂材、気泡スポンジなど）
１２ｂ：  音声伝達開口部
１３  ：  防塵手段
２１  ：  音声集音孔
２２  ：  イヤホン取り付け部
２３  ：  ケーブル貫通溝
【図１】
0003209742.tif 000003
【図２】
0003209742.tif 000004
【図３】
0003209742.tif 000005
【図４】
0003209742.tif 000006
【図５】
0003209742.tif 000007